(57)【要約】【課題】物体に発生する電気の導通を防止し、形態保持機能を有する巻尺を提供する。【解決手段】本考案にかかる巻尺（１０）は、保持器（１）と、保持器（１）へ回転自在に取り付けた環状のリール（２）と、リール（２）により巻き取り及び繰り出し自在に保持した巻尺本体（３）と、巻尺本体（３）の巻き取り及び繰り出しを案内する案内ローラ（４）と、を有し、巻尺本体（３）は、絶縁性の樹脂を巻尺本体（３）の幅方向に所定の曲率半径で湾曲させ、且つ、幅方向の断面形状が略円弧状となるように成形して構成しており、案内ローラ（４）は、リール（２）の周囲に複数設けられている、ことを特徴とする。【選択図】図２
0003192044.tif 000002
【実用新案登録請求の範囲】
【請求項１】
保持器と、前記保持器へ回転自在に取り付けた環状のリールと、前記リールにより巻き取り及び繰り出し自在に保持した巻尺本体と、前記巻尺本体の前記巻き取り及び前記繰り出しを案内する案内ローラと、を有し、
前記巻尺本体は、絶縁性の樹脂を前記巻尺本体の幅方向に所定の曲率半径で湾曲させ、且つ、前記幅方向の断面形状が略円弧状となるように成形して構成しており、
前記案内ローラは、前記リールの周囲に複数設けられている、ことを特徴とする巻尺。
【考案の詳細な説明】
【技術分野】
【０００１】
本考案は、電気を帯びた物体の長さを計測する携帯用の巻尺に関する。
【背景技術】
【０００２】
図１は、従来の一般的な巻尺１００を示す斜視図である。この種の巻尺１００は、保持器１０１、保持器１０１内へ回転自在に取り付けたリール１０２、リール１０２で保持した金属製の巻尺本体１０３を有して構成している。
【０００３】
巻尺本体１０３は、巻尺本体１０３の幅方向に湾曲し、その幅方向の断面形状を略円弧状と成し、巻尺本体１０３の曲げ強度、つまり、巻尺本体１０３の形態保持機能を向上させてある。なお、巻尺本体１０３の一面Ａには目盛１０４が施されている。
【０００４】
上述した巻尺１００は、測定者が巻尺本体１０３を保持器１０１から繰り出して一面Ａを上方に向ければ、形態保持機能により巻尺本体１０３が略直線状に維持されるため、巻尺本体１０３の先端を手で支持することなく片手で物体の大きさ等を測定することができる。
【０００５】
なお、変電所や駅等の作業現場では、電気を帯びた物体の長さを計測する場合がある。この場合、例えば、図１に示すような金属製の巻尺本体１０３で物体の長さを計測した場合は、物体に発生する電気が金属製の巻尺本体１０３に導通してしまうおそれがある。このため、物体に発生する電気の導通を防止すべく、樹脂を用いて巻尺本体を形成したものがある（例えば、特許文献１：特公昭６３−２１１２１号公報、特許文献２：特開平６−２５８００１号公報参照）。
【０００６】
特許文献１には、ガラス繊維からなる芯材に熱硬化性ポリエステル樹脂を含浸して巻尺素材を作製し、該巻尺素材を所定の曲率半径の描く円の円周の１／３以上の円弧長さとなる如く幅方向に彎曲成形すると共に芯材に含浸した熱硬化性ポリエステル樹脂を硬化させるようにした巻尺について開示されている。
【０００７】
特許文献２には、特許文献１に開示された巻尺素材の自立性を向上させるために、無機又は合成繊維からなる補強材に熱硬化性合成樹脂が含浸されてテープ状長尺体を形成し、その長尺体を複数個長手方向に沿って積層一体化すると共に、幅方向に彎曲させた巻尺素材について開示されている。
【先行技術文献】
【特許文献】
【０００８】
【特許文献１】特公昭６３−２１１２１号公報
【特許文献２】特開平６−２５８００１号公報
【考案の概要】
【考案が解決しようとする課題】
【０００９】
特許文献１、２の巻尺素材は、樹脂を用いて構成しているため、物体に発生する電気の導通を防止することができる。しかし、特許文献１、２の巻尺素材は、繊維からなる芯材に樹脂を含浸して作製しているため、金属製の巻尺本体１０１のような形態保持機能を発揮することが難しい。
【００１０】
本考案の目的は、物体に発生する電気の導通を防止し、形態保持機能を有する巻尺を提供することにある。
【課題を解決するための手段】
【００１１】
本考案にかかる巻尺は、
保持器と、前記保持器へ回転自在に取り付けた環状のリールと、前記リールにより巻き取り及び繰り出し自在に保持した巻尺本体と、前記巻尺本体の前記巻き取り及び前記繰り出しを案内する案内ローラと、を有し、
前記巻尺本体は、絶縁性の樹脂を前記巻尺本体の幅方向に所定の曲率半径で湾曲させ、且つ、前記幅方向の断面形状が略円弧状となるように成形して構成しており、
前記案内ローラは、前記リールの周囲に複数設けられている、ことを特徴とする。
【考案の効果】
【００１２】
本考案によれば、物体に発生する電気の導通を防止し、形態保持機能を有する巻尺を得ることができる。
【図面の簡単な説明】
【００１３】
【図１】従来の巻尺１００の構成例を示す図である。
【図２】本実施形態の巻尺１０の構成例を示す第１の図である。
【図３】本実施形態の巻尺１０の構成例を示す第２の図である。
【考案を実施するための形態】
【００１４】
（本考案の一態様にかかる巻尺１０の実施形態の概要）
まず、図２、図３を参照しながら、本考案の一態様にかかる巻尺１０の実施形態の概要について説明する。図２、図３は、本考案の一態様にかかる巻尺１０の構成例を示す図である。
【００１５】
本考案の一態様にかかる巻尺１０は、保持器１と、保持器１へ回転自在に取り付けた環状のリール２と、リール２により巻き取り及び繰り出し自在に保持した巻尺本体３と、巻尺本体３の巻き取り及び繰り出しを案内する案内ローラ４と、を有して構成している。
【００１６】
巻尺本体３は、絶縁性の樹脂を巻尺本体３の幅方向に所定の曲率半径Ｒで湾曲させ、且つ、幅方向の断面形状が略円弧状となるように成形して構成している。また、案内ローラ４は、リール２の周囲に複数設けられている。
【００１７】
本考案の一態様にかかる巻尺１０の巻尺本体３は、絶縁性の樹脂を巻尺本体３の幅方向に所定の曲率半径Ｒで湾曲させ、且つ、幅方向の断面形状が略円弧状となるように成形して構成している。このため、電気を帯びた物体の長さを計測する場合でも、その物体に発生した電気の導通を防止することができる。また、形態保持機能により巻尺本体３が略直線状に維持されるため、巻尺本体３の先端を手で支持することなく片手で物体の大きさ等を測定することができる。また、絶縁性の樹脂で構成した巻尺本体３は、形態保持機能を有しているが、巻尺本体３の巻き取り及び繰り出しを案内する案内ローラ４をリール２の周囲に複数設けているため、巻尺本体３の巻き取り及び繰り出しを容易にすることができる。以下、添付図面を参照しながら、本考案の一態様にかかる巻尺１０について詳細に説明する。
【００１８】
＜巻尺１０の構成例＞
まず、図２、図３を参照しながら、本実施形態の巻尺１０の構成例について説明する。図２、図３は、本実施形態の巻尺１０の構成例を示す図である。図２は、巻尺１０の構成例を示す斜視図である。図３（Ａ）は、図２のＣ−Ｃ線における正面縦断面図、図３（Ｂ）は、図３（Ａ）のＤ−Ｄ線における側面縦断面図である。
【００１９】
本実施形態の巻尺１０は、保持器１と、保持器１へ回転自在に取り付けた環状のリール２と、リール２により巻き取り及び繰り出し自在に保持した巻尺本体３と、巻尺本体３の巻き取り及び繰り出しを案内する案内ローラ４と、を有して構成している。
【００２０】
保持器１は、巻尺本体３を収納するものであり、プラスチック等で構成している。保持器１は、略対象形状の２つの筐体１１，１２を備えている。この２つの筐体１１，１２は、ねじ（図示せず）により結合固定されている。
【００２１】
２つの筐体１１，１２は、ともに板状に成形され、その外周に縁部１３,１４を対向して設けてある。
【００２２】
本実施形態の筐体１２側には、円柱状の位置決めピン８を設けている。また、筐体１１側には、円筒状の位置決め筒９を設けている。位置決め筒９は、位置決めピン８に嵌め込むことで、位置決めピン８を回転軸として位置決め筒９が回転するようになっている。このため、位置決めピン８の外径は、位置決め筒９の内径よりも若干小径に設定してある。
【００２３】
保持器１の内部には環状のリール２を収納してあり、リール２は位置決め筒９により回転自在に保持されている。このリール２は、巻尺本体３を巻き取り及び繰り出し自在に保持している。位置決め筒９は、ハンドル２０と連結しており、ハンドル２０を回転することで、位置決め筒９が回転し、その位置決め筒９の回転によりリール２も回転することになる。
【００２４】
巻尺本体３は、絶縁性の樹脂で構成しており、物体に発生する電気の導通が発生しないようになっている。絶縁性の樹脂としては、硬質や半硬質の塩化ビニル樹脂を用いることが好ましい。
【００２５】
巻尺本体３は、上述した絶縁性の樹脂を湾曲成形機により巻尺本体３の幅方向に所定の曲率半径Ｒで湾曲させ、且つ、幅方向の断面形状が略円弧状となるように成形する。湾曲成形機は、絶縁性の樹脂を幅方向に湾曲させて断面を円弧状にするためのものであり、一対の金型等を用いて構成する。
【００２６】
本実施形態の巻尺本体３の厚みは、０．１〜０．３ｍｍとし、幅は１０〜３０ｍｍとし、長さは１〜３ｍで構成する。
【００２７】
本実施形態の巻尺本体３の形成時の曲率半径Ｒは、８ｍｍ〜１０ｍｍの範囲にすることが好ましい。
【００２８】
目盛は、巻尺本体３の少なくとも一表面に施され、巻尺本体３の表面や裏面のみに施されていてもよいし、巻尺本体３の表面と裏面とに施されていてもよい。目盛は、グラビア印刷、オフセット印刷、シルク印刷等の適宜方法にてなされる。
【００２９】
巻尺本体３は、一端側をリール２に固定してリール２に巻き取り、他端側を保持器１の側面に設けた出入口２３に挿入してある。出入口２３は、巻尺本体３が出入りできるように巻尺本体３と同様に略円弧状で構成する。
【００３０】
保持器１の内部には、一対の案内ローラ４を複数設け、複数の案内ローラ４の回転により、巻尺本体３の巻き取り及び繰り出しを容易にしている。本実施形態では、一対の案内ローラ４を６つ設け、６つの案内ローラ４により、巻尺本体３の巻き取り及び繰り出しを容易にしている。なお、出入口２３の近くに設けられる２つの案内ローラ４は、巻尺本体３を挟み込むように設け、２つの案内ローラ４で巻尺本体３をリール２から出入口２３に繰り出すようにしたり、出入口２３からリール２に巻き取るようにしている。これにより、リール２と出入口２３との間の巻尺本体３の案内を容易にすることができる。一対の案内ローラ４は、図３（Ｂ）に示すように幅方向の断面形状が略円弧状の巻尺本体３の形状に沿って設けるようにしている。これにより、巻尺本体３の巻き取り及び繰り出しの案内を容易にすることができる。
【００３１】
本実施形態の巻尺１０は、不使用時は、巻尺本体３の殆どがリール２に巻き取られ、巻尺本体３の先端２４が保持器１の側面に当接している。巻尺本体３の先端２４は、巻尺本体３と同様の樹脂で一体成形して構成する。
【００３２】
巻尺１０を使用する際は、巻尺本体３の先端２４を掴んで引くと、巻尺本体３が徐々にリール２から繰り出される。この際、ハンドル２０を繰り出し方向に回すことで、巻尺本体３がリール２から繰り出されることになる。そして、巻尺本体３を所定量繰り出した状態で、測定者は巻尺本体３により物体の大きさ等を測定する。
【００３３】
本実施形態の巻尺１０は、形態保持機能により巻尺本体３が略直線状に維持されるため、巻尺本体３の先端２４を手で支持することなく片手で物体の大きさ等を測定することができる。また、巻尺本体３は、絶縁性の樹脂で構成しているため、電気を帯びた物体の長さを計測する場合でも、その物体に発生した電気の導通を防止することができる。
【００３４】
以上のようにして測定作業が終了したら、ハンドル２０を巻き取り方向に回して巻尺本体２をリール１０に巻き取る。
【００３５】
絶縁性の樹脂で構成した巻尺本体３は、巻尺本体３の幅方向に所定の曲率半径Ｒで湾曲させ、且つ、幅方向の断面形状が略円弧状となるように成形して形態保持機能を有しているが、巻尺本体３の巻き取り及び繰り出しを案内する案内ローラ４をリール２の周囲に複数設けているため、巻尺本体３の巻き取り及び繰り出しを容易にすることができる。
【００３６】
なお、上述した実施形態は、本考案の好適な実施の形態の一例を示すものであり、本考案はそれに限定されることなく、その要旨を逸脱しない範囲内において、種々変形実施が可能である。
【符号の説明】
【００３７】
１０    巻尺
１    保持器
２    リール
３    巻尺本体
４    案内ローラ
【図１】
0003192044.tif 000003
【図２】
0003192044.tif 000004
【図３】
0003192044.tif 000005